(57)【要約】【課題】乗りかごの下部にロープ懸架端が設けられるエレベータにおいて、ロープの保守作業性を向上させることである。【解決手段】ロープの懸架延長装置１０は、エレベータの乗りかご２の下側に設けられるロープ懸架端６を上方に延長し、乗りかご２の上部５の略高さ位置でロープの保守作業を行えるようにする装置である。詳しくは、ロープ懸架端６−懸架端ロッド１２−延長バー１４−中間ロッド１６−乗りかご２の上部５の高さ位置に略配置されるターンバックル１８−ロープ端末用ロッド２０−ロープ８を堅縛するロープ端末処理部２４と順次接続されて構成される。乗りかご２から転倒防止部材６０が張り出して設けられ、ターンバックル１８の高さ位置で懸架延長装置１０を支持する。ターンバックル１８を回転矢印Ｂの方向に回転することで、ロープの着脱、調整等を行うことができる。【選択図】図１
2005206305.tif 000002
【特許請求の範囲】
【請求項１】
乗りかごの下部に設けられるロープ懸架端を用いて乗りかごをロープにより懸架するエレベータであって、
一方端がロープ懸架端に取り付けられ、他方端が乗りかごの上部の高さ位置に略配置される懸架延長装置と、
懸架延長装置の他方端に堅縛されるロープと、
を備えることを特徴とするエレベータ。
【請求項２】
請求項１に記載のエレベータにおいて、
懸架延長装置は、
ロープ懸架端に一方端が取り付けられ、他方端が上方に向けて配置される懸架端ロッドと、
懸架端ロッドの他方端に一方端が接続され、他方端がさらに上方に向けて配置される延長バーと、
延長バーの他方端に接続され、乗りかごの上部の高さ位置に略配置され、ロープを堅縛するロープ取付部と、
を備えることを特徴とするエレベータ。
【請求項３】
請求項１に記載のエレベータにおいて、
延長バーは、懸架部ロッドの軸方向に直交する軸周りに回転可能であり、ロープ取付部は、ロープの軸周りに回転してロープの長さを調整する調整機構を有することを特徴とするエレベータ。
【請求項４】
請求項１に記載のエレベータにおいて、
乗りかごに設けられ、懸架延長装置を支持しその転倒を防止する転倒防止部材を備えることを特徴とするエレベータ。
【発明の詳細な説明】
【技術分野】
【０００１】
本発明はエレベータに係り、特に乗りかごの下部に設けられるロープ懸架端を用いて乗りかごをロープにより懸架するエレベータに関する。
【背景技術】
【０００２】
エレベータにおいては、乗りかごをロープで懸架し、ロープを巻上装置等を用いて上下させることで乗りかごの昇降を行っている。ロープを乗りかごに取り付け、適当な長さと張力に調整するために、乗りかごの懸架端にロープ取付調整具が設けられる。ここで乗りかごの懸架端は、ヒッチエンドと呼ばれている。例えば、特許文献１には、乗りかごの上部枠体に吊り板を設け、この吊り板に、上部にシャックルソケットを介して主ロープを備え、下部にテンション用ばねを備えたシンブルロッドを貫通させる主ロープ固定装置が開示される。
【０００３】
【特許文献１】特開平７−６９５６３号公報
【発明の開示】
【発明が解決しようとする課題】
【０００４】
上記特許文献に示されるエレベータは、乗りかごの上部にヒッチエンドを設けたものであるが、近年ホームエレベータや油圧エレベータ及び小型のエレベータにおいて、乗りかごの下側にヒッチエンドを設けるものが増えている。これは、近年のエレベータ昇降路において天井側の空間をあまり大きく取れなくなってきていることから、巻上装置等にロープを巻きつけるときの角度、いわゆるフリート角が大きくなることを防ぐためである。
【０００５】
しかし、図４に示すように、従来技術で知られているロープ固定装置を用いて乗りかご２の下部枠体に設けられた吊り板４の下側にヒッチエンドすなわちロープ懸架端６を設けると、ロープ８の交換や長さ調整等の保守を行うには乗りかご２の下側、すなわち乗りかご２の外の下側にもぐってナット７を緩めたりする作業を行う必要があり、作業性がよくなく、安全性に配慮が必要である。
【０００６】
本発明の目的は、かかる従来技術の課題を解決し、乗りかごの下部にロープ懸架端が設けられるエレベータにおいて、ロープの保守作業性を向上させることである。
【課題を解決するための手段】
【０００７】
上記目的を達成するため、本発明に係るエレベータは、乗りかごの下部に設けられるロープ懸架端を用いて乗りかごをロープにより懸架するエレベータであって、一方端がロープ懸架端に取り付けられ、他方端が乗りかごの上部の高さ位置に略配置される懸架延長装置と、懸架延長装置の他方端に堅縛されるロープと、を備えることを特徴とする。
【０００８】
また、懸架延長装置は、ロープ懸架端に一方端が取り付けられ、他方端が上方に向けて配置される懸架端ロッドと、懸架端ロッドの他方端に一方端が接続され、他方端がさらに上方に向けて配置される延長バーと、延長バーの他方端に接続され、乗りかごの上部の高さ位置に略配置され、ロープを堅縛するロープ取付部と、を備えることが好ましい。
【０００９】
また、延長バーは、懸架部ロッドの軸方向に直交する軸周りに回転可能であり、ロープ取付部は、ロープの軸周りに回転可能であることが好ましい。
【００１０】
また、本発明に係るエレベータにおいて、乗りかごに設けられ、懸架延長装置を支持しその転倒を防止する転倒防止部材を備えることが好ましい。
【発明の効果】
【００１１】
上記構成の少なくとも１つにより、ロープ懸架端が乗りかごの下部に設けられ、懸架延長装置によりロープの堅縛高さが乗りかごの上部の方向に延長され、およそ乗りかごの上部の高さ位置に懸架延長装置の他方端が設けられる。したがって、乗りかごの下側にもぐらなくても、乗りかごの上部においてロープの取り付け、調整等を行うことができ、作業性、安全性を向上させることができる。
【００１２】
また、上記構成の少なくとも１つにより、懸架延長装置は、懸架端に取り付けられる懸架端ロッドと、懸架端ロッドに接続される延長バーと、延長バーと接続されるロープ取付部を備える。したがって、延長バーの長さを変更することで、懸架端を乗りかごの下部に設けつつ、乗りかごの大きさの相違等に対応が可能となる。
【００１３】
また、上記構成の少なくとも１つにより、延長バーを懸架部ロッドの軸方向に直交する軸、すなわちロープの軸方向に直交する軸の周りに回転可能である。したがって、乗りかごの昇降により、ロープの傾き角度が変化しても、柔軟に追随できる。また、ロープ取付部はロープの軸周りに回転し、ロープの長さを調整する。例えば延長バーとロープ取付部との間をねじによる接続とし、ロープ取付部を回転することでロープの長さを容易に調整することができ、作業性が向上する。
【００１４】
また、上記構成の少なくとも１つにより、懸架延長装置を支持する転倒防止部材が設けられる。したがって、ロープの取り外し等の場合でも懸架延長装置が転倒することなく、作業性の向上を図ることができる。
【００１５】
上記のように、本発明によれば、乗りかごの下部にヒッチエンドが設けられるエレベータにおいて、ロープの保守作業性を向上させることができる。
【発明を実施するための最良の形態】
【００１６】
以下に図面を用いて本発明に係る実施の形態につき詳細に説明する。図１は、本発明に係るエレベータの乗りかご２におけるロープの懸架延長装置１０の周辺を示す図である。ロープの懸架延長装置１０は、乗りかご２の下部枠体に取り付けられた吊り板４の下側に設けられたロープ懸架端と、乗りかごを懸架するロープ８との間をしっかりと接続し、かつ、ロープの取り付け、調整等の保守位置を乗りかご２の上部５の高さ位置に略配置する機能を有する装置である。ロープの懸架延長装置１０の他方端に堅縛されたロープ８は、図示されていない巻上装置により巻き上げあるいは巻き戻しが行われ、乗りかご２を昇降させることができる。
【００１７】
懸架延長装置１０は、ロープ懸架端６に一方端が取り付けられ、他方端が乗りかご２の上方に向けて配置される懸架端ロッド１２と、懸架端ロッド１２の他方端に一方端が接続され、他方端がさらに乗りかご２の上方に向けて配置される延長バー１４と、延長バー１４の他方端に一方端が接続され、他方端がさらに上方に延びる中間ロッド１６と、中間ロッド１６の他方端に一方端が接続され、乗りかご２の上部５の高さ位置に略配置されるターンバックル１８と、ターンバックル１８に接続されるロープ端末用ロッド２０と、ロープ端末用ロッド２０に接続され、他端においてロープ８を堅縛するロープ端末処理部２４とを含んで構成される。ターンバックル１８以下ロープ端末処理部２４の部分は、ロープを堅縛して取り付けるロープ取付部に相当する。なお、乗りかご２の吊り板４には、懸架端ロッド１２を通す貫通穴が設けられている。
【００１８】
また、懸架延長装置１０は、乗りかご２から張り出して設けられた転倒防止部材６０により支持される。転倒防止部材６０としては、例えば、ターンバックル１８の部分が抜け落ちないように支える穴あき板を用い、これを乗りかご２の上部５から張り出すようにして取り付けることができる。これにより、例えば、ターンバックル１８より上側の部分が取り外されても、ターンバックル１８より下側の部分が転倒防止部材６０により支持されるので、作業性を著しく向上させることができる。
【００１９】
図２は、懸架延長装置１０の詳細分解図である。図２において２個のナット７は、懸架端ロッド１２にねじ止めされ、スプリング９を乗りかご２の吊り板４の下面との間で挟み込む機能を有する。２個のナット７のうち１方はスプリング９の長さ、すなわち弾性力を調整するために用いられ、他方はゆるみ止めのための控えナットとして用いられる。スプリング９は、乗りかご２の昇降時における振動の抑制等のための制振スプリングで、例えばコイルばねを用いることができる。
【００２０】
懸架端ロッド１２は、ねじが外周に刻まれたねじ棒である。その一方端にはナット７が取り付けられ、他方端には延長バー１４が取り付けられる。他方端の延長バー１４に取り付けられる部分にはねじを設けないこともできる。また、他方端には、延長バー１４に設けられる穴３４に対応する穴３０が設けられる。かかる懸架端ロッド１２は、適当な強度を有する金属棒にねじ切り及び穴あけを施すことで得ることができる。
【００２１】
延長バー１４は、その長さがおよそ乗りかご２の高さ程度に設定される棒材である。その一方端には懸架端ロッド１２の他方端が挿入される差込穴３２が設けられ、その差込穴３２の深さの途中になるように穴３４が延長バー１４の軸方向に直交するようにあけられる。差込穴３２の内径は、懸架端ロッド１２の他方端の外形より大きめに設定される。延長バー１４の穴３４と、懸架端ロッド１２の穴３０とには、懸架延長装置１０の組み立ての際に図示されていない回転ピンが差し込まれる。このことで、延長バー１４は、穴３４の軸周りに回転できる。図１に回転矢印Ａでその回転方向を示す。このように、懸架端ロッド１２と延長バー１４とを分割構造とすることで、各部材の運搬性がよく、融通が利く。なお、懸架端ロッド１２と延長バー１４との分割構造あるいは回転構造は利便性のため等であるので、これを固定構造又は一体構造としてもよい。
【００２２】
延長バー１４の他方端には中間ロッド１６の一方端が挿入される差込穴３８が設けられ、その差込穴３８の深さの途中になるように穴３６が延長バー１４の軸方向に直交するようにあけられる。差込穴３８の内径は、中間ロッド１６の一方端の外形より大きめに設定される。延長バー１４の穴３６と、中間ロッド１６の穴４０とには、懸架延長装置１０の組み立ての際に図示されていないピンが差し込まれる。このことで、中間ロッド１６と延長バー１４とは、穴３６の軸周りに回転できる。なお、差込穴３８はねじ穴とし、中間ロッド１６の一方端のねじ部がねじ込まれるものとし、ピンにより位置が固定されるものとしてもよい。この場合には中間ロッド１６と延長バー１４との間でその軸方向に直交する軸周りに回転を行うことができない。
【００２３】
中間ロッド１６は、ねじが外周に刻まれたねじ棒である。その一方端は延長バー１４との接続部であり、他方端はターンバックル１８との接続部である。一方端の延長バー１４との接続部にはねじを設けないこともできる。また、上記のように、その一方端には、延長バー１４に設けられる穴３６に対応する穴４０が設けられる。
【００２４】
ターンバックル１８は、細長い枠体であって、その長手方向の両端にそれぞれ貫通ねじ穴４２，４４が設けられる部材である。貫通ねじ穴４２，４４の軸方向はターンバックル１８の軸方向と同じである。一方の貫通ねじ穴４２の巻き方向と他方の貫通ねじ穴４４の巻き方向とは互いに逆方向に設定される。例えば、貫通ねじ穴４２が右ねじであれば貫通ねじ穴４４は左ねじであり、逆に貫通ねじ穴４２が左ねじであれば貫通ねじ穴４４は右ねじとされる。貫通ねじ穴４２と中間ロッド１６の他方端のねじ部とは同じねじとされ、貫通ねじ穴４４とロープ端末用ロッド２０の一方端のねじ部とは同じねじとされる。したがって、懸架延長装置１０の組み立ての際に、中間ロッド１６の他方端のねじ部をターンバックル１８の貫通ねじ穴４２にねじ込んで接続し、一方でターンバックル１８の貫通ねじ穴４４にロープ８を接続した後のロープ端末用ロッド２０の一方端のねじ部をねじ込んで接続した後でも、ターンバックル１８をその軸周りに回転することができる。図１に回転矢印Ｂでその回転できる方向を示す。この回転矢印Ｂ方向にターンバックル１８を回転することで、ロープ端末用ロッド２０に接続されたロープ８をロープ懸架端６側に手繰り寄せることもでき、また、ロープ懸架端６側から離すこともできる。こうしてターンバックル１８の軸周りの回転により、ロープ８の長さを調整できる。
【００２５】
ロープ端末用ロッド２０はねじが外周に刻まれたねじ棒である。その一方端はターンバックル１８との接続部であり、他方端はロープ端末処理部２４との接続部である。他方端には、ロープ端末処理部２４に設けられる穴５０に対応する穴４６が設けられる。
【００２６】
ナット２２はロープ端末用ロッド２０にねじ込まれ、ターンバックル１８に対しロープ端末用ロッド２０の位置を固定する機能を有する控えナットである。具体的には、懸架延長装置１０の組み立ての際に、ターンバックル１８に対しロープ端末用ロッド２０を接続し、その後ターンバックル１８を回転してロープ８の長さや張力を調整し終えた状態でナット２２をロープ端末用ロッド２０に沿ってターンバックル１８の他方端に向かって回転しつつ移動させ、ターンバックル１８の他方端のところでしっかりねじ締め固定する。
【００２７】
ロープ端末処理部２４は、他方端においてロープ８が堅縛されている部材で、一方端にはロープ端末用ロッド２０の他方端を受け入れるスリット４８が設けられる。このスリット４８の深さの途中になるように穴５０が設けられる。上記のようにこの穴５０とロープ端末用ロッド２０の他方端の穴４６とは対応し、懸架延長装置１０の組み立ての際にこれらの穴の位置が合わせられて図示されていないピンが差し込まれ、相互の位置が固定される。
【００２８】
図３に、ロープ端末処理部２４とロープ端末用ロッド２０との間の組み立ての様子を示す。図３（ａ）は正面図、（ｂ）は側面図である。ロープ端末処理部２４の一方端は、側面図で見られるようにスリット（４８）が設けられ、これに対応してロープ端末用ロッド２０の他方端の厚みが設定される。そして、このスリット（４８）にロープ端末用ロッド２０の他方端が挿入され、ロープ端末処理部２４の一方端の穴（５０）とロープ端末用ロッド２０の他方端の穴（４６）が合わされる。その合わさった穴にピン５２が挿入され、ピン５２の両端に割りピン５４が差し込まれる。こうしてロープ端末処理部２４とロープ端末用ロッド２０とがピン５２によりしっかりと接続される。
【００２９】
かかる構造の懸架延長装置１０の作用を説明する。最初に懸架延長装置１０の組み立て及び乗りかご２への取り付けの方法を説明する。まずナット７を一方端に取り付けた懸架端ロッド１２の他方端側からスプリング９を挿入する。スプリング９はナット７によって支持される大きさであるので、スプリング９はナット７の上部で懸架端ロッド１２の周りに配置されることになる。この状態のスプリング付き懸架端ロッド１２の他方端を、吊り板４の下側から、懸架端ロッド１２を通すための貫通穴に上向きに挿入する。こうして吊り板４の下面とナット７との間にスプリング９が配置され、吊り板４の上側に懸架端ロッド１２の一方端が突き出る。
【００３０】
次に懸架端ロッド１２の一方端に対し、延長バー１４の差込穴３２にあわせてかぶせ、穴３０，３４を合わせてピンで止める。こうして懸架端ロッド１２の上方に延長バー１４が延長される。そして延長バー１４の他方端の差込穴３８に中間ロッド１６の一方端を挿入し、穴３６，４０を合わせてピンで止める。こうしてさらに上方に中間ロッド１６が延長される。図１に示すように、延長された中間ロッド１６の他方端の高さ位置は、乗りかご２の高さ位置とほぼ同じである。
【００３１】
中間ロッド１６の他方端のねじ部にターンバックル１８の一方端の貫通ねじ穴４２を合わせ、ターンバックル１８を適当に回転させて中間ロッド１６とターンバックル１８とを接続する。そして、ターンバックル１８の他方端の貫通ねじ穴４４にロープ端末用ロッドの一方端のねじ部を合わせて適当にロープ端末用ロッドをねじ込み、ターンバックル１８にロープ端末用ロッド２０を接続する。その後、ナット２２をロープ端末用ロッド２０の適当な位置までねじ込みしておく。このとき、乗りかご２から張り出して設けられる転倒防止部材６０の穴あき部にターンバックル１８を通すようにしておく。こうすることでロープ懸架端６から上方に延長されたターンバックル１８の部分が転倒防止部材６０で支持されて倒れなくなり、以後の作業が行い易くなる。
【００３２】
そして、ロープ８が堅縛されているロープ端末処理部２４の一方端のねじ穴４８とロープ端末用ロッド２０の他方端のねじ部とを合わせてロープ端末処理部２４を回転させ、穴４６と穴５０が合うまでねじ込む。穴４６，５０があったところでピンにより位置を固定する。こうして、乗りかご２の下部のロープ懸架端６とロープ８とが接続される。
【００３３】
次にロープの長さ及び張力等の調整につき説明する。乗りかご２の下部のロープ懸架端６とロープ８とが接続された状態において、ターンバックル１８の高さ位置はほぼ乗りかご２の上部５の高さ位置にある。そこで、ターンバックル１８を図１の回転矢印Ｂの正方向又は逆方向に回転することで、ロープ端末用ロッド２０に接続されたロープ８をロープ懸架端６側に手繰り寄せることもでき、また、ロープ懸架端６側から離すこともできる。こうしてターンバックル１８の回転により、ロープ８の長さ及びその張力を適当に調整できる。
【００３４】
ロープ８を外したいときは、図３で説明したピン５２を外し、ロープ端末処理部２４とロープ端末ロッド２０とを分離すればよい。新しいロープを取り付けたいときは、図３で説明したように、新しいロープ８が堅縛されているロープ端末処理部２４の一方端のスリット４８にナット２２付のロープ端末用ロッド２０を挿入し、穴４６，５０を合わせてピン３２を差込み、割ピン５４で止める。上記のように、中間ロッド１６のねじ部と、ロープ端末用ロッド２０のねじ部とは互いに逆ねじの関係にあるので、ターンバックル１８の一方向の回転により、中間ロッド１６とロープ端末用ロッド２０とを接続し、新しいロープ８の長さ及び張力等を調整することができる。
【００３５】
このように、ロープ８の取り付け、交換、着脱、あるいはその長さ、張力の調整等のロープ保守作業を、乗りかご２の上部５の高さ位置とほぼ同じ高さ位置に設けられたターンバックル１８の回転等により行うことができる。これに対し、従来では、ロープの保守作業は、乗りかご２の下側、いわゆるエレベータピットにもぐって乗りかご２の下側に設けられたナット７の位置を調整し、あるいはナット７を外して行われている。したがって、作業性、安全性が大幅に向上する。
【００３６】
なお、このように調整されたロープ懸架により乗りかご２が昇降するとき、ロープの傾き角度が変化するが、延長バー１４は、懸架端ロッド１２に対し図１の回転矢印Ａの方向に回転可能であるので、傾き角度の変化に柔軟に追随できる。
【図面の簡単な説明】
【００３７】
【図１】本発明に係る実施の形態のエレベータの乗りかごにおけるロープの懸架延長装置の周辺を示す図である。
【図２】本発明に係る実施の形態における懸架延長装置の詳細分解図である。
【図３】本発明に係る実施の形態におけるロープ端末処理部周りの詳細図である。
【図４】従来技術におけるエレベータの乗りかごのロープ懸架の様子を示す図である。
【符号の説明】
【００３８】
２  乗りかご、４  吊り板、５  乗りかごの上部、６  ロープ懸架端、７，２２  ナット、８  ロープ、９  スプリング、１０  懸架延長装置、１２  懸架端ロッド、１４  延長バー、１６  中間ロッド、１８  ターンバックル、２０  ロープ端末用ロッド、２４  ロープ端末処理部、３０，３４，３６，４０，４６，５０  穴、３２，３８  差込穴、４２，４４  貫通ねじ穴、４８  スリット、６０  転倒防止部材。
【図１】
2005206305.tif 000003
【図２】
2005206305.tif 000004
【図３】
2005206305.tif 000005
【図４】
2005206305.tif 000006